(57)【要約】【課題】ボックスパレットの段積み用脚体の取り付け構造を改善する。【解決手段】底パネル１の周囲に側パネル２Ａ〜２Ｄが立設されると共に、底パネル１の下側各角部に、段積み時に下側パレットの側パネル２Ｂ，２Ｃの上辺で支持させることができる脚体１４ａ〜１４ｄを突設した段積み可能な搬送用ボックスパレットであって、底パネル１は、左右両側辺に沿って配置された左右一対の前後方向溝形材１０ａ，１０ｂと、両前後方向溝形材１０ａ，１０ｂを少なくとも両端近傍位置で互いに連結する複数本の左右方向溝形材１１ａ〜１１ｄと、これら部材１０ａ〜１１ｄの上に敷設されたパネル材１２とから成り、脚体１４ａ〜１４ｄは、前後方向溝形材１０ａ，１０ｂとその両端近傍位置に結合されているそれぞれ1本の左右方向溝形材１１ａ，１１ｂとのＴ字状交差部１３ａ〜１３ｄの下側に固着された構成。【選択図】図１
2005047575.tif 000002
【特許請求の範囲】
【請求項１】
矩形の底パネルの周囲に側パネルが立設されると共に、底パネルの下側各角部に、段積み時に下側パレットの側パネルの上辺で支持させることができる脚体を突設した段積み可能な搬送用ボックスパレットであって、底パネルは、左右両側辺に沿って配置された左右一対の前後方向部材と、両前後方向部材を少なくとも両端近傍位置で互いに連結する複数本の左右方向部材と、これら部材の上に敷設されたパネル材とから成り、前記脚体は、前記前後方向部材とその両端近傍位置に結合されているそれぞれ1本の左右方向部材とのＴ字状交差部の下側に固着されている、段積み可能な搬送用ボックスパレット。
【請求項２】
前記脚体の上端部には、底パネルにおける前記Ｔ字状交差部が嵌合する凹部が設けられ、当該凹部と前記Ｔ字状交差部との結合により脚体が底パネルに取り付けられている、請求項１に記載の段積み可能な搬送用ボックスパレット。
【請求項３】
前記脚体は、角筒状の柱部と、この柱部の下端に固着されて段積み用凹溝部と当該凹溝部の内側に位置する平坦接地部とを形成する折曲板材とから構成され、前記凹部は、柱部の外側前後方向壁部の両角部間にわたって形成された前後方向部材嵌合用切り欠きと、柱部の内側前後方向壁部に形成された左右方向部材嵌合用切り欠きとで構成されている請求項２に記載の段積み可能な搬送用ボックスパレット。
【請求項４】
前記脚体は、板材を角筒状に曲げ加工して成る柱部と、この柱部の下端に固着されて段積み用凹溝部と当該凹溝部の内側に位置する平坦接地部とを形成する折曲板材とから構成され、前記凹部は、柱部を形成する板材の外側前後方向壁部の両角部間にわたって形成された前後方向部材嵌合用切り欠きと、柱部を形成する板材の内側対向両側辺間で構成され、当該柱部を形成する板材の内側対向両側辺には、前記左右方向部材の両側面に当接固着される平行折曲部が形成されている、請求項２に記載の段積み可能な搬送用ボックスパレット。
【請求項５】
前記脚体の柱部の平行折曲部と当該柱部の左右方向両側壁との間の内側前後方向壁部は、前記平行折曲部側ほど当該柱部の外側前後方向壁部から離れるように傾斜している、請求項４に記載の段積み可能な搬送用ボックスパレット。
【発明の詳細な説明】
【技術分野】
【０００１】
本発明は、底部各角部に段積み用脚体を備えた段積み可能な搬送用ボックスパレットに関するものである。
【背景技術】
【０００２】
段積み可能な搬送用ボックスパレットとして、矩形の底パネルの周囲に側パネルが立設されると共に、底パネルの下側各角部に、段積み時に下側パレットの側パネルの上辺で支持させることができる脚体を突設したパレットが、例えば特許文献１などによって知られている。而して、特許文献１に記載された従来のこの種の段積み可能な搬送用ボックスパレットでは、各脚体を底パネルに対して強固に取り付けるために、底パネルの前後両側辺近傍位置にそれぞれ２本の左右方向部材、例えば溝形材を強度部材として並列配置し、これら各２本の左右方向部材の間に脚体の上端部を嵌合させるように配置して互いに溶接固着していた。
【特許文献１】実開昭５５−１７０２９２号公報
【発明の開示】
【発明が解決しようとする課題】
【０００３】
上記のような従来の脚体取付構造では、底パネルの前後両側辺近傍位置にそれぞれ２本の左右方向部材、例えば溝形材を並列配置しなければならないので、底パネルを構成する部材点数が多くなって重量アップ、コストアップにつながるだけでなく、脚体の前後方向間隔が、当該脚体の外側に位置する左右方向部材の存在によって狭められ、段積み時の安定性を十分に高めることができなかった。
【課題を解決するための手段】
【０００４】
本発明は上記のような従来の問題点を解消し得る段積み可能な搬送用ボックスパレットを提供することを目的とするものであって、その手段を後述する実施形態の参照符号を付して示すと、矩形の底パネル１の周囲に側パネル２Ａ〜２Ｄが立設されると共に、底パネル１の下側各角部に、段積み時に下側パレットの側パネル２Ｂ，２Ｃの上辺で支持させることができる脚体１４ａ〜１４ｄを突設した段積み可能な搬送用ボックスパレットであって、底パネル１は、左右両側辺に沿って配置された左右一対の前後方向部材（溝形材１０ａ，１０ｂ）と、両前後方向部材（溝形材１０ａ，１０ｂ）を少なくとも両端近傍位置で互いに連結する複数本の左右方向部材（溝形材１１ａ〜１１ｄ）と、これら部材１０ａ〜１１ｄの上に敷設されたパネル材（メッシュパネル材１２）とから成り、前記脚体１４ａ〜１４ｄは、前記前後方向部材（溝形材１０ａ，１０ｂ）とその両端近傍位置に結合されているそれぞれ1本の左右方向部材（溝形材１１ａ，１１ｂ）とのＴ字状交差部１３ａ〜１３ｄの下側に固着された構成となっている。
【０００５】
上記構成の本発明を実施するについて、請求項２に記載のように前記脚体１４ａ〜１４ｄの上端部には、底パネル１における前記Ｔ字状交差部１３ａ〜１３ｄが嵌合する凹部２１を設け、当該凹部２１と前記Ｔ字状交差部１３ａ〜１３ｄとの結合、例えば溶接、かしめ、ボルトアップなどにより、脚体１４ａ〜１４ｄを底パネル１に取り付けることができる。
【０００６】
又、請求項３に記載のように前記脚体１４ａ〜１４ｄは、角筒状の柱部１７と、この柱部１７の下端に固着されて段積み用凹溝部１８と当該凹溝部１８の内側に位置する平坦接地部１９とを形成する折曲板材２０とから構成し、前記凹部２１は、柱部１７の外側前後方向壁部１７ｈの両角部間にわたって形成された前後方向部材嵌合用切り欠き２２と、柱部１７の内側前後方向壁部１７ｆ，１７ｇに形成された左右方向部材嵌合用切り欠き２３ａ，２３ｂ又は２３とで構成することができる。
【０００７】
又、柱部１７が板材を角筒状に曲げ加工して構成される場合、その内側対向両側辺１７ａ，１７ｂに左右方向部材嵌合用切り欠き２３ａ，２３ｂを設けることになるが、この切り欠き２３ａ，２３ｂを設けないで、当該柱部１７を形成する板材の内側対向両側辺１７ａ，１７ｂ間を左右方向部材（溝形材１１ａ，１１ｂ）が嵌合する凹部２１とすることもできる。この場合、請求項４に記載のように、前記柱部１７を形成する板材の内側対向両側辺１７ａ，１７ｂには、前記左右方向部材（溝形材１１ａ，１１ｂ）の両側面に当接固着される平行折曲部２４ａ，２４ｂを形成することができる。更にこの場合、請求項５に記載のように前記平行折曲部２４ａ，２４ｂと柱部１７の左右方向両側壁１７ｄ，１７ｅとの間の内側前後方向壁部１７ｆ，１７ｇは、前記平行折曲部２４ａ，２４ｂ側ほど当該柱部１７の外側前後方向壁部１７ｈから離れるように傾斜させることが望ましい。
【発明の効果】
【０００８】
上記構成の本発明に係る段積み可能なボックスパレットによれば、底パネルの下側各角部に配設される段積み用の各脚体は、底パネルの強度部材である前後方向部材とその両端近傍位置に結合されているそれぞれ1本の左右方向部材とのＴ字状交差部の下側に固着するものであるから、従来のように底パネルの前後両側辺近傍に脚体取り付けのためにそれぞれ２本の左右方向部材を並列配置するものと比較して、底パネルの強度部材としての左右方向部材の使用本数を削減し、底パネル、延いてはパレット全体の重量軽減を図り、コストダウンを実現させることができる。しかも各脚体は、1本の左右方向部材でのみ支持させるのではなく、当該1本の左右方向部材と前後方向部材とのＴ字状交差部で支持させるのであるから、安定良く且つ十分な強度で容易に取り付けることができる。
【０００９】
尚、請求項２に記載の構成によれば、底パネルの左右方向部材と前後方向部材とのＴ字状交差部に対する脚体の取付安定性及び取付強度を一層高めることができる。特に両者を溶接により固着する場合は、その両者間の溶接長さを増大させることができ、取付強度を十分に高めることができる。
【００１０】
上記請求項２に記載の構成を実施する場合、請求項３に記載の構成によれば、脚体の柱部の内外両側辺が切り欠きを介して底パネル側の前後方向部材の底面と左右方向部材の底面とに当接することになるので、脚体と底パネル側の部材との結合強度そのものが多少弱くとも、脚体の耐荷重性能を高めることができる。
【００１１】
又、請求項４に記載の構成によれば、底パネルの左右方向部材の長さ方向の荷重に対して、脚体の柱部を形成する板材の内側対向両側辺と底パネルの左右方向部材両側面との結合箇所が変形しにくくなり、更に請求項５に記載の構成によれば、底パネルの左右方向部材の長さ方向の荷重に対して、脚体の柱部を形成する板材の内側対向両側辺と底パネルの左右方向部材両側面との結合箇所に応力が集中するのを避けて、バランス良く荷重を受けさせることができ、一層安全性を高めることができる。
【発明を実施するための最良の形態】
【００１２】
以下に本発明の好適実施例を添付図に基づいて説明すると、図１Ａにおいて、１は矩形の底パネルである。２Ａ〜２Ｄは底パネル１の周囲に配置されて底パネル１上に荷収納空間を形成する側パネルであり、この実施形態における側パネルは、正面の上下２段構造のゲートパネル２Ａ、左右両側の互いに平行なサイドパネル２Ｂ，２Ｃ、背面のバックパネル２Ｄから構成されている。
【００１３】
具体的には、ゲートパネル２Ａは、その下辺の内側後方への折曲片の端部において、ヒンジコイル３により底パネル１の前側辺近傍位置に当該ヒンジコイル軸心３ａの周りに揺動自在に連結され、サイドパネル２Ｂ，２Ｃは、その垂直な後側辺がヒンジコイル４，５によりバックパネル２Ｄの左右両側辺に当該ヒンジコイル軸心４ａ，５ａの周りに揺動自在に連結され、バックパネル２Ｄは、その下辺がヒンジコイル６により底パネル１の後側辺に当該ヒンジコイル軸心６ａの周りに揺動自在に連結されている。又、ゲートパネル２Ａは、高さの中間位置にヒンジコイル７が介装され、当該ヒンジコイル軸心７ａの周りに上半部のみを開閉することもできるものであって、その下半部の上辺近傍左右両側と上半部の上辺近傍左右両側とに、サイドパネル２Ｂ，２Ｃと連結するロック手段８ａ，８ｂ及び９ａ，９ｂを備えている。
【００１４】
上記構成のボックスパレットは、全ての側パネル２Ａ〜２Ｄを底パネル１の上に層状に重ねるように折り畳むことができるものであるが、この折り畳み可能な側パネル２Ａ〜２Ｄの構成は本発明の必須要件ではなく、例えば折り畳むことができない側パネルを備えたものや、底パネル１に対して着脱自在な側パネルを備えたものなど、如何なる構成のものであっても良い。
【００１５】
底パネル１は、図１Ｂに示すように、左右両側辺に配置された上側開放の前後方向溝形材１０ａ，１０ｂ、両溝形材１０ａ，１０ｂの両端近傍位置と中間２箇所の長さ方向４箇所を互いに連結する上側開放の左右方向溝形材１１ａ〜１１ｄ、これら溝形材１０ａ〜１１ｄの上に載置固着された矩形のメッシュパネル材１２、及び前後方向溝形材１０ａ，１０ｂとその両端近傍位置に配置されたそれぞれ１本の左右方向溝形材１１ａ，１１ｂとのＴ字状交差部１３ａ〜１３ｄの下側に固着された脚体１４ａ〜１４ｄから構成されている。矩形のメッシュパネル材１２は、適当間隔おきに互いに平行に配列された前後方向線材１５と適当間隔おきに互いに平行に配列された左右方向線材１６とをその交差部で互いに固着したものである。
【００１６】
尚、メッシュパネル材１２の前端から３番目の左右方向線材１６ａがゲートパネル２Ａを連結するヒンジコイル３の支承軸となり、メッシュパネル材１２の後端の左右方向線材１６ｂがバックパネル２Ｄを連結するヒンジコイル６の支承軸となっている。底パネル１の溝形材１０ａ〜１１ｄの上に載置固着されるパネル材は、上記構造のメッシュパネル材１２に限定されず、エキスパンドメタルや板製のパネル材であっても良い。又、底パネル１の強度部材としての前後方向部材及び左右方向部材として、溝形材１０ａ，１０ｂ及び溝形材１１ａ，１１ｄを使用したが、溝形材以外の形鋼なども利用できる。更に、前後方向溝形材１０ａ，１０ｂどうしをつなぐ左右方向溝形材は、前後方向溝形材１０ａ，１０ｂの両端近傍位置に配置される少なくとも２本の左右方向溝形材１１ａ，１１ｂがあれば良く、中間の２本の左右方向溝形材１１ｃ，１１ｄは省くこともできるし、中間の左右方向溝形材の本数を１本又は３本以上とすることもできる。
【００１７】
図２〜図４に基づいて脚体１４ａ〜１４ｄの構造を詳細に説明すると、各脚体１４ａ〜１４ｄは、板材を角筒状に曲げ加工して成る柱部１７と、この柱部１７の下端に固着されて段積み用凹溝部１８と当該凹溝部１８の内側に位置する平坦接地部１９とを形成する折曲板材２０とから構成され、前記柱部１７の上端に、前記底パネル１におけるＴ字状交差部１３ａ〜１３ｄが嵌合する凹部２１が形成されている。前記凹部２１は、柱部１７を形成する板材の外側両角部間にわたって形成された前後方向部材嵌合用切り欠き２２と、柱部１７を形成する板材の内側対向両側辺１７ａ，１７ｂに形成された左右方向部材嵌合用切り欠き２３ａ，２３ｂとで構成されている。
【００１８】
尚、折曲板材２０は、外側の下側開放溝形部２０ａで段積み用凹溝部１８を形成すると共に、当該下側開放溝形部２０ａと隣接縦壁部を共通する内側の上側開放溝形部２０ｂで平坦接地部１９を形成するものであり、柱部１７の下端は、折曲板材２０の上側開放溝形部２０ｂ内に嵌合する突出部１７ｃを備えている。又、柱部１７を形成する板材の内側対向両側辺１７ａ，１７ｂは、左右方向溝形材１１ａ，１１ｂの巾よりは狭い隙間を隔てて互いに離間させているが、両内側対向両側辺１７ａ，１７ｂを、前記切り欠き２３ａ，２３ｂの下側では互いに当接させ、或いは互いに当接させた状態で溶接などにより一体化することもできる。
【００１９】
而して、図３及び図４に示すように各脚体１４ａ〜１４ｄの柱部１７の前後方向部材嵌合用切り欠き２２に底パネル１におけるＴ字状交差部１３ａ〜１３ｄを構成する前後方向溝形材１０ａ，１０ｂを嵌合させると共に、当該柱部１７の左右方向部材嵌合用切り欠き２３ａ，２３ｂに前記Ｔ字状交差部１３ａ〜１３ｄを構成する左右方向溝形材１１ａ，１１ｂを嵌合させ、各切り欠き２２，２３ａ，２３ｂの周縁とこれに接する前後方向溝形材１０ａ，１０ｂ及び左右方向溝形材１１ａ，１１ｂの外側面とを溶接により固着して、各脚体１４ａ〜１４ｄを底パネル１における前記Ｔ字状交差部１３ａ〜１３ｄの下側に取り付けている。
【００２０】
上記構成のボックスパレットは、側パネル２Ａ〜２Ｄが折り畳み可能なものであるときは、図１に示すように側パネル２Ａ〜２Ｄを組み立てた状態において、底パネル１上で側パネル２Ａ〜２Ｄに囲まれた空間内に収納された荷の搬送や保管に利用することができるものであるが、保管時などにおいては、上段のボックスパレットの各脚体１４ａ〜１４ｄの段積み用凹溝部１８を下段のボックスパレットの左右両サイドパネル２Ｂ，２Ｃの上辺の前後両端付近に嵌合させることで、上下に段積みすることができる。又、ボックスパレットは、その各脚体１４ａ〜１４ｄの平坦接地部１９を着床させることにより、床面などに安定的に載置することができる。
【００２１】
尚、各脚体１４ａ〜１４ｄの構造は、図２〜図４に示す上記構造に限定されない。例えば、柱部１７を形成する板材の内側対向両側辺１７ａ，１７ｂには左右方向部材嵌合用切り欠き２３ａ，２３ｂを設けないで、当該柱部１７を形成する板材の内側対向両側辺１７ａ，１７ｂ間を左右方向溝形材１１ａ，１１ｂが嵌合する凹部２１とすることもできるが、この場合、図５〜図７に示すように、前記柱部１７を形成する板材の内側対向両側辺１７ａ，１７ｂには、前記左右方向溝形材１１ａ，１１ｂの両側面に当接固着される平行折曲部２４ａ，２４ｂを形成することができる。更にこの場合、前記平行折曲部２４ａ，２４ｂと柱部１７の左右方向両側壁１７ｄ，１７ｅとの間の内側前後方向壁部１７ｆ，１７ｇは、前記平行折曲部２４ａ，２４ｂ側ほど当該柱部１７の外側前後方向壁部１７ｈから離れるように傾斜させることが望ましい。
【００２２】
尚、平行折曲部２４ａ，２４ｂは、左右方向溝形材１１ａ，１１ｂの両側面に当接し得る領域にのみ形成すれば良いが、図示例では、折曲板材２０の上側開放溝形部２０ｂに内嵌する突出部１７ｃの上側全領域に平行折曲部２４ａ，２４ｂを形成し、内側前後方向壁部１７ｆ，１７ｇは、その上端部領域（左右方向溝形材１１ａ，１１ｂの両側面に当接する平行折曲部２４ａ，２４ｂの上端部領域に隣接する領域）のみ上記のように傾斜させ、それより下の領域では、下側ほど傾斜が徐々に緩くなって最終的には傾斜がなくなるように形成している。更に、平行折曲部２４ａ，２４ｂが脚体１４ａ〜１４ｄの後側面から実質的に後側へ突出しないように、内側前後方向壁部１７ｆ，１７ｇを上方ほど柱部１７の内側へ入り込むように傾斜させて、平行折曲部２４ａ，２４の巾を上方ほど広くなるように形成し、以て、左右方向溝形材１１ａ，１１ｂの両側面に当接する箇所では、平行折曲部２４ａ，２４ｂが必要な巾を確保するように構成している。
【００２３】
又、図８及び図９に示すように、段積み用凹溝部１８と当該凹溝部１８の内側に位置する平坦接地部１９とを形成する折曲板材２０から柱部１７の内側前後方向壁部を構成する垂直立ち上がり板部２０ｃを連設し、柱部１７を、折曲板材２０の垂直立ち上がり板部２０ｃと、板材をコ字形に曲げ加工して構成した左右方向両側壁１７ｄ，１７ｅ及び外側前後方向壁部１７ｈとで形成して成る脚体１４ａ〜１４ｄを採用することもできる。この場合、底パネル１のＴ字状交差部１３ａ〜１３ｄを構成する左右方向溝形材１１ａ，１１ｂが嵌合する左右方向部材嵌合用切り欠き２３が折曲板材２０の垂直立ち上がり板部２０ｃの上端中央部に形成される。
【００２４】
図８及び図９に示す脚体１４ａ〜１４ｄでは、板材をコ字形に曲げ加工して構成した左右方向両側壁１７ｄ，１７ｅの後側辺２５ａ，２５ｂを内側に傾斜させて、折曲板材２０の垂直立ち上がり板部２０ｃとの間に溶接用入り隅部を形成している。又、柱部１７の外側前後方向壁部１７ｈは円弧状に突曲させている。
【図面の簡単な説明】
【００２５】
【図１】Ａ図は全体の斜視図であり、Ｂ図は底パネルの平面図である。
【図２】Ａ図は底パネルの部分拡大平面図であり、Ｂ図は１つの脚体の平面図である。
【図３】Ａ図は脚体取り付け前の状態を示す要部の縦断正面図であり、Ｂ図は脚体取り付け後の状態を示す要部の縦断正面図である。
【図４】Ａ図は底パネルの部分拡大右側面図であり、Ｂ図は同縦断左側面図である。
【図５】脚体構造が異なる別実施形態の要部の縦断正面図である。
【図６】Ａ図は図５に示す実施形態の脚体のみを示す正面図であり、Ｂ図は同平面図である。
【図７】Ａ図は図５に示す実施形態の脚体のみを示す左側面図であり、Ｂ図は同右側面図である。
【図８】Ａ図は脚体の更に別の変形例を示す正面図であり、Ｂ図は同平面図である。
【図９】Ａ図は図８に示す脚体の右側面図であり、Ｂ図は同左側面図である。
【符号の説明】
【００２６】
１    底パネル
２Ａ〜２Ｄ    側パネル
１０ａ，１０ｂ    前後方向溝形材（前後方向部材）
１１ａ〜１１ｄ    左右方向溝形材（左右方向部材）
１２    メッシュパネル材
１３ａ〜１３ｄ    Ｔ字状交差部
１４ａ〜１４ｄ    脚体
１７    脚体の柱部
１７ａ，１７ｂ    柱部の内側対向両側辺
１７ｃ    柱部の突出部
１７ｄ，１７ｅ    柱部の左右方向両側壁
１７ｆ，１７ｇ    柱部の内側前後方向壁部
１７ｈ    柱部の外側前後方向壁部
１８    段積み用凹溝部
１９    平坦接地部
２０    脚体の折曲板材
２０ａ    折曲板材の下側開放溝形部
２０ｂ    折曲板材の上側開放溝形部
２０ｃ    折曲板材の垂直立ち上がり板部
２１    凹部
２２    前後方向部材嵌合用切り欠き（凹部）
２３，２３ａ，２３ｂ    左右方向部材嵌合用切り欠き（凹部）
２４ａ，２４ｂ    柱部の平行折曲部
【図１】
2005047575.tif 000003
【図２】
2005047575.tif 000004
【図３】
2005047575.tif 000005
【図４】
2005047575.tif 000006
【図５】
2005047575.tif 000007
【図６】
2005047575.tif 000008
【図７】
2005047575.tif 000009
【図８】
2005047575.tif 000010
【図９】
2005047575.tif 000011